(57)【特許請求の範囲】
【請求項１】
着用者の腹部に接する前身頃（１），着用者の背部に接する後身頃（２），及び前記前身頃（１）と前記後身頃（２）の間に位置する股下部（３）に，長手方向に区分された吸収性本体（１０）と，
前記吸収性本体（１０）の肌対向面側において，前記吸収性本体（１０）の幅方向の左右両側に配設された一対のサイドシート（２０）と，を備え，
前記一対のサイドシート（２０）は，
前記長手方向に沿って延びる接合線（２１）と，
前記接合線（２１）よりも前記幅方向の外側において，前記吸収性本体（１０）の肌対向面に接合された接合領域（２２）と，
前記接合線（２１）よりも前記幅方向の内側の起立領域（２３）と，を有し，
前記起立領域（２３）は，
前記長手方向の前後両端側において，前記吸収性本体（１０）の肌対向面に接合された接合部分（２３ａ，２３ｂ）と，
前記接合部分（２３ａ，２３ｂ）の前記長手方向の間に位置し，前記吸収性本体（１０）の肌対向面に接合されていない自由部分（２３ｃ）と，を含む
吸収性物品であって，
前記一対のサイドシート（２０）のそれぞれに，少なくとも１本ずつ取り付けられた補助伸縮部材（３０）と，
前記一対のサイドシート（２０）の前記自由部分（２３ｃ）に，前記長手方向に沿った伸長状態で固定された立体ギャザー伸縮部材（４０）を，さらに備え，
前記補助伸縮部材（３０）は，基端（３１）が前記接合領域（２２）に位置し，先端（３２）が前記起立領域（２３）の前記自由部分（２３ｃ）に位置しており，前記接合線（２１）を跨ぐ方向に伸縮可能な状態で前記サイドシート（２０）に固定されており，
前記補助伸縮部材（３０）には，
前記前身頃（１）側に設けられた前側補助伸縮部材（３０ａ）と，
前記後身頃（２）側に設けられた後側補助伸縮部材（３０ｂ）と，が含まれ，
前記前側補助伸縮部材（３０ａ）と後側補助伸縮部材（３０ｂ）は，それぞれ，前記先端（３２）が前記基端（３１）よりも前記股下部（３）寄りに位置していることにより，斜めに傾斜するように前記サイドシート（２０）に固定されており，
前記前側補助伸縮部材（３０ａ）と前記後側補助伸縮部材（３０ｂ）は，前記立体ギャザー伸縮部材（４０）と交差していない
吸収性物品。
【請求項２】
前記補助伸縮部材（３０）には，
前記長手方向において，前側補助伸縮部材（３０ａ）と後側補助伸縮部材（３０ｂ）との間に設けられた中央補助伸縮部材（３０ｃ）が含まれる。
請求項１に記載の吸収性物品。
【請求項３】
前記一対のサイドシート（２０）の前記接合領域（２２）に，前記長手方向に沿った伸長状態で固定されたレッグギャザー伸縮部材（５０）を，さらに備え，
前記前側補助伸縮部材（３０ａ）と前記後側補助伸縮部材（３０ｂ）は，前記レッグギャザー伸縮部材（５０）と交差していない
請求項１に記載の吸収性物品。
【発明の詳細な説明】
【技術分野】
【０００１】
本発明は，着用者の股下に配置され，尿などの液体を吸収し保持するための吸収性物品に関する。
【背景技術】
【０００２】
従来から，使い捨ておむつ，尿取りパッド，吸収パッド，又は生理用ナプキンなどのように，排泄された体液を吸収保持することを目的として，着用者の股下に装着される吸収性物品が知られている。一般的な吸収性物品は，液透過性のトップシートと液不透過性のバックシートとの間に吸収体を配置して構成された吸収性本体を有している。また，一般的な吸収性物品は，吸収性本体の左右両側に，着用者の肌に当接する方向に向かって立ち上がる一対の立体ギャザーが形成されている（特許文献１〜３等）。
【０００３】
一対の立体ギャザーは，吸収体の左右両側において起立するものであり，尿漏れを防ぐための防漏壁として機能する。立体ギャザーは，一般的に，トップシート上にサイドシートを重ねて接合し，このサイドシートの内側端部に弾性伸縮部材（糸ゴムなど）を伸長状態で固定することにより形成される。弾性伸縮部材が収縮すると，サイドシートの内側端部が弾性伸縮部材の収縮力によって立ち上がるとともに，弾性伸縮部材が収縮した部位に皺（ギャザー）が形成される。これにより，サイドシートが立体ギャザーとなる。
【０００４】
また，従来の吸収性物品は，一般的に，弾性伸縮部材がサイドシートの長手方向のほぼ全域に亘って固定されている。このため，サイドシートのほぼ全域に亘って皺が形成されることとなる。このように，従来の吸収性物品は，サイドシートの広い範囲に皺を形成することによって，立体ギャザーの肌触りを良くしようとしていた。
【先行技術文献】
【特許文献】
【０００５】
【特許文献１】特開平１０−２４３９６０号公報
【特許文献２】特開２００７−０００３３９号公報
【特許文献３】特開２０１３−１２３４４７号公報
【発明の概要】
【発明が解決しようとする課題】
【０００６】
ところで，吸収性物品に形成された立体ギャザーは，サイドシートに取り付けられた弾性伸縮部材が収縮したときに立ち上がる。また，吸収性物品を装着する際には，このようにして立体ギャザーを立ち上げた状態で，立体ギャザーの先端を着用者の股下の肌に触れさせるようにすることが好ましい。しかしながら，吸収性物品を装着するときには，吸収性物品が長手方向に沿って伸ばされるため，このサイドシートに取り付けられた弾性伸縮部材が長手方向に沿って伸張した状態になる傾向にある。このように，弾性伸縮部材が伸張すると，立体ギャザーが倒れてしまうため，立体ギャザーの先端を着用者の肌に触れさせるようにして，吸収性物品を着用者の股下に装着することが難しいとされていた。また，弾性伸縮部材が伸張し立体ギャザーが倒れた状態で吸収性物品を装着すると，立体ギャザーが押し潰された状態のままとなってしまい，その後も立体ギャザーが起立しにくくなるという問題があった。このため，例えば，吸収性物品を着用者の股下に装着させた後に，この股下部分に手指を挿し込んで，立体ギャザーが起立させるという作業が行われることもあるが，このような作業は手指を汚してしまったり，着用者の肌を傷つけてしまう恐れがある。
【０００７】
そこで，本発明は，吸収性物品の装着時において，立体ギャザーを立ち上げ易くするための技術を提供することを解決課題とする
【課題を解決するための手段】
【０００８】
本発明の発明者は，上記した課題の解決手段について鋭意検討した結果，立体ギャザーを構成するサイドシートに対して，このサイドシートの接合領域と起立領域との境界を跨ぐように伸縮可能な補助伸縮部材を取り付けることとした。このような補助伸縮部材を設けることで，この補助伸縮部材が収縮したときに，立体ギャザーを立ち上げやすくすることができる。そして，本発明者は，上記知見に基づけば，従来の課題を解決できることに想到し，本発明を完成させた。具体的に説明すると，本発明は以下の構成を有する。
【０００９】
本発明は，使い捨ておむつなどの吸収性物品に関する。
本発明の吸収性物品は，吸収性本体１０と，左右一対のサイドシート２０と，を備える。吸収性本体１０は，着用者の腹部に接する前身頃１，着用者の背部に接する後身頃２，及びこれらの間に位置する股下部３に，長手方向に区分されている。また，一対のサイドシート２０は，吸収性本体１０の肌対向面側において，吸収性本体１０の幅方向の左右両側に配設されるシート部材である。
一対のサイドシート２０は，接合線２１と，接合領域２２と，起立領域２３と，を有する。接合線２１は，吸収性本体１０の長手方向に沿って延びる線であり，接合領域２２と起立領域２３との境界線に相当する。接合領域２２は，接合線２１よりも幅方向の外側において，吸収性本体１０の肌対向面に接合された接合領域２２である。起立領域２３は，接合線２１よりも幅方向の内側の領域である。
起立領域２３は，接合部分２３ａ，２３ｂと，自由部分２３ｃと，を有している。接合部分２３ａ，２３ｂは，長手方向の前後両端側において，吸収性本体１０の肌対向面に接合された部分である。自由部分２３ｃは，接合部分２３ａ，２３ｂの長手方向の間に位置し，吸収性本体１０の肌対向面に接合されていない部分である。この自由部分２３ｃが吸収性本体１０から離れて起立することにより，立体ギャザーが形成される。
ここで，本発明の吸収性物品は，さらに，補助伸縮部材３０を備える。この補助伸縮部材３０は，一対のサイドシート２０のそれぞれに対して，少なくとも１本ずつ取り付けられている。
この補助伸縮部材３０は，その基端３１が接合領域２２に位置し，その先端３２が起立領域２３の自由部分２３ｃに位置している。そして，補助伸縮部材３０は，接合線２１を跨ぐ方向に伸縮可能な状態で，サイドシート２０に固定されている。
【００１０】
上記構成のように，サイドシート２０の接合線２１を跨ぐように，接合領域２２から起立領域２３の自由部分２３ｃに掛けて補助伸縮部材３０を固定することで，このサイドシート２０の自由部分２３ｃを起立させやすくすることができる。つまり，このサイドシート２０には，補助伸縮部材３０が伸長状態で固定されているため，補助伸縮部材３０が収縮したときに，サイドシート２０の自由部分２３ｃが引っ張られて，着用者の肌が存在する方向に向かって立ち上がる。これにより，吸収性物品の着用時などにおいて，立体ギャザーが立ち上がり易くなり，この立体ギャザーの先端部分を着用者の股下にフィットさせることができる。
【００１１】
本発明の吸収性物品において，補助伸縮部材３０には，前身頃１側に設けられた前側補助伸縮部材３０ａと，後身頃２側に設けられた後側補助伸縮部材３０ｂと，が含まれていることが好ましい。この場合，前側補助伸縮部材３０ａと後側補助伸縮部材３０ｂは，それぞれ，その先端３２が基端３１よりも股下部３寄りに位置していることにより，斜めに傾斜するようにサイドシート２０に固定されていることが好ましい。
【００１２】
一般的な立体ギャザーは，股下部付近では立ち上がり易くなっているものの，前身頃寄り及び後身頃寄りの部位において立ち上がりにくくなっている。このため，この前身頃寄り及び後身頃寄りの部位に，それぞれ前側補助伸縮部材３０ａと後側補助伸縮部材３０ｂとを配置することで，立体ギャザー全体を効果的に立ち上げることができる。また，前側補助伸縮部材３０ａと後側補助伸縮部材３０ｂとを，斜めに配置することで，前身頃寄り及び後身頃寄りの部位をさらに効果的に起立させることができる。
【００１３】
本発明の吸収性物品において，補助伸縮部材３０には，長手方向において，前側補助伸縮部材３０ａと後側補助伸縮部材３０ｂとの間に設けられた中央補助伸縮部材３０ｃが含まれることが好ましい。
【００１４】
上記のように，吸収性物品の股下部３近傍に中央補助伸縮部材３０ｃを配置することで，立体ギャザーを外側に広げるようにして立ち上がらせることが可能になる。
【００１５】
本発明の吸収性物品は，一対のサイドシート２０の自由部分２３ｃに，長手方向に沿った伸長状態で固定された立体ギャザー伸縮部材４０を備える。この場合に，前側補助伸縮部材３０ａと後側補助伸縮部材３０ｂには，立体ギャザー伸縮部材４０と交差していないものがあることが好ましい。
【００１６】
前側補助伸縮部材３０ａと後側補助伸縮部材３０ｂが立体ギャザー伸縮部材４０と交差している場合，その交点において互い阻害しあって，効率的に収縮しなくなるおそれがある。これに対して，上記構成のように，立体ギャザー伸縮部材４０と交差しないように，前側補助伸縮部材３０ａと後側補助伸縮部材３０ｂを配置することで，各伸縮部材の収縮力を効果的に利用して，立体ギャザーを起立させることができる。
【００１７】
本発明の吸収性物品は，一対のサイドシート２０の接合領域２２に，レッグギャザー伸縮部材５０をさらに備える。このレッグギャザー伸縮部材５０は，長手方向に沿った伸長状態で，サイドシート２０に固定されていることが好ましい。この場合に，前側補助伸縮部材３０ａと後側補助伸縮部材３０ｂには，レッグギャザー伸縮部材５０と交差していないものがあることが好ましい。
【００１８】
上記構成のように，レッグギャザー伸縮部材５０と交差しないように，前側補助伸縮部材３０ａと後側補助伸縮部材３０ｂを配置することで，各伸縮部材の収縮力が阻害しあうことを防止できる。
【発明の効果】
【００１９】
本発明によれば，吸収性物品の装着時において，立体ギャザーを立ち上げ易くすることができる。
【図面の簡単な説明】
【００２０】
【図１】図１は，本発明に係る吸収性物品の実施形態を示した斜視図である。
【図２】図２は，本発明に係る吸収性物品の実施形態を示した平面図である。
【図３】図３は，図２のＸ−Ｘ線における吸収性物品の断面図である。
【発明を実施するための形態】
【００２１】
以下，図面を用いて本発明を実施するための形態について説明する。本発明は，以下に説明する形態に限定されるものではなく，以下の形態から当業者が自明な範囲で適宜修正したものも含む。
【００２２】
本願明細書において，「長手方向」とは，吸収性物品の前身頃と後身頃とを結ぶ方向を意味する。また，「幅方向」とは，長手方向に平面的に直交する方向を意味する。本願の図において，「長手方向」はＹ軸で示され，「幅方向」はＸ軸で示されている。
本願明細書において，「肌対向面」とは，吸収性物品の着用時において，着用者の肌に向かい合う面を意味する。また，「肌非対向面」とは，吸収性物品の着用時において，着用者の肌に向かい合わない面，すなわち肌対向面の反対側の面を意味する。
本願明細書において，「Ａ〜Ｂ」とは，「Ａ以上Ｂ以下」であることを意味する。
【００２３】
図１は，本発明の実施形態に係る吸収性物品を示している。図１に示された例において，吸収性物品は，テープ型の使い捨ておむつである。図１に示されるように，テープ型の使い捨ておむつは，後身頃の両側部に取り付けられたファスニングテープを前身頃に止め付けることにより装着されるタイプの使い捨ておむつである。以下では，テープ型の使い捨ておむつを例に挙げて，本発明の吸収性物品について詳しく説明する。ただし，本発明は，テープ型の使い捨ておむつに限定されるものではない。例えば，本発明は，パンツ型の使い捨ておむつや，尿取りパッド，吸収パッド，又は生理用ナプキンなどのように，排泄された体液を吸収保持することを目的として，着用者の股下に装着される吸収性物品に広く適用することができる。
【００２４】
図１から図３を参照して，本発明の吸収性物品１００の実施形態について説明する。図１は，実施形態の係る吸収性物品１００を示した斜視図であり，図２は，実施形態に係る吸収性物品１００を示した展開図である。また，図３は，図２のＸ−Ｘ線における断面図を示している。
【００２５】
図１及び図２に示されるように，吸収性物品１００は，長手方向において，着用者の腹部に接する前身頃１と，着用者の背部に接する後身頃２と，前身頃１と後身頃２の間に位置し着用者の股下に接する股下部３とに区分される。また，吸収性物品１００は，吸収性本体１０と，左右一対のサイドシート２０と，を備えている。図３の断面図に示されるように，吸収性本体１０は，トップシート１１と，バックシート１２と，これらのシート１１，１２の間に介在する吸収体１３とを含む。また，一対のサイドシート２０により，吸収性本体１０の幅方向左右両側に，一対の立体ギャザーが形成される。なお，図３では，吸収性物品の構造を分り易くするために各シート部材に厚みを持たせているが，実際の各シート部材は極めて薄いシート状の部材である。
【００２６】
まず，吸収性本体１０の基本構成について説明する。吸収性本体１０を構成するトップシート１１は，着用者の股下部の肌に直接接し，尿などの液体を吸収体１３へ透過させるための部材である。このため，トップシート１１は，柔軟性が高い液透過性材料で構成される。また，トップシート１１は，吸収体１３の肌対向面を被覆するように配置される。トップシート１１を構成する液透過性材料の例は，織布，不織布，又は多孔性フィルムである。また，トップシート１１としては，例えばポリプロピレンやポリエチレン，ポリエステル，ナイロンのような熱可塑性樹脂の繊維を親水化処理してさらに不織布にしたものを用いることとしてもよい。
【００２７】
バックシート１２は，トップシート１１を透過して吸収体１３に吸収された液体が，おむつの外側へ漏出することを防止するための部材である。このため，バックシート１２は，液不透過性材料によって構成される。また，バックシート１２は，吸収体１３の底面からの液漏れを防止するため，吸収体１３の肌非対向面を被覆している。また，図３に示されるように，バックシート１２は，トップシート１１よりも幅広に形成されており，バックシート１２の左右両端部は，トップシート１１の左右両側縁よりも外側に延出していることが好ましい。バックシート１２を構成する不透過材料の例は，ポリエチレン樹脂からなる液不透過性のフィルムである。特に，バックシート１２としては，液不透過性を維持しつつ通気性を確保するために，０．１〜４μｍの微細な孔が複数形成された微多孔性ポリエチレンフィルムを用いることが好ましい。
【００２８】
吸収体１３は，尿などの液体を吸収し，吸収した液体を保持するための部材である。吸収体１３は，液透過性のトップシート１１と，液不透過性のバックシート１２の間に配置される。吸収体１３は，公知の吸収性材料により構成することができる。吸収性材料としては，例えば，フラッフパルプ，高吸水性ポリマー，又は親水性シートを用いることとしてもよい。また，吸収性材料には，フラッフパルプ，高吸水性ポリマー，又は親水性シートのうち１種類を単独で用いてもよいし，２種類以上を併用することとしてもよい。吸収性材料は，通常，単層又は複数層のマット状に形成して用いられる。図１〜図３に示されるように，吸収体１３の周囲においては，トップシート１１とバックシート１２が互いに接合されている。これにより，吸収体１３は，トップシート１１とバックシート１２の接合部によって周囲を囲われたものとなる。
【００２９】
続いて，立体ギャザーを形成するための構造について詳しく説明する。図１〜図３に示されるように，吸収性本体１０の肌対向面側の幅方向左右両側には，長手方向の全体に亘って，一対のサイドシート２０が重ね合わされている。一対のサイドシート２０は，吸収体１３の両側縁に沿って起立して，尿の横漏れを防止する立体ギャザーを形成するためのシート部材である。例えば，サイドシート２０を構成するシート部材としては，撥水性と通気性を有するシート部材を採用することが好ましい。サイドシート２０としては，例えば，カードエンボスやスパンボンド等の製法により得られた不織布シートを使用することができ，特に防水性及び通気性が高いＳＭＳやＳＭＭＳ等の不織布シートを用いることが好ましい。
【００３０】
図２及び図３に示されるように，一対のサイドシート２０は，それぞれ，接合線２１と，接合領域２２と，起立領域２３とからなる。サイドシート２０の接合線２１は，長手方向に沿って真っ直ぐに延びた直線状に形成されており，接合領域２２と起立領域２３の間の境界線となっている。また，図３に示されるように，サイドシート２０の接合線２１は，トップシート１１の肌対向面上に形成されていることが好ましい。
【００３１】
サイドシート２０の接合領域２２は，接合線２１よりも幅方向の外側に位置する領域である。この接合領域２２において，サイドシート２０は，吸収性本体１０の肌対向面上に全面的に接合されている。図３に示されるように，接合領域２２において，サイドシート２０は，トップシート１１の肌対向面上に接合されていることが好ましい。また，バックシート１２の左右両端部がトップシート１１から延出している場合，サイドシート２０は，接合領域２２において，バックシート１２の肌対向面上にも接合されていることが好ましい。このように，サイドシート２０を，トップシート１１とバックシート１２の両方に対して接合することで，サイドシート２０が吸収性本体１０から剥がれにくくなる。
【００３２】
サイドシート２０の起立領域２３は，接合線２１よりも幅方向の内側に位置する領域である。この起立領域２３は，長手方向に見て，長手方向の前後両端側に位置する接合部分２３ａ，２３ｂと，これらの接合部分２３ａ，２３ｂの間に位置する自由部分２３ｃとに区分されている。前後両端の接合部分２３ａ，２３ｂにおいて，サイドシート２０は，吸収性本体１０（トップシート１１）の肌対向面上に接合されている。なお，図２においては，接合部分２３ａ，２３ｂを分かりやすく示すために，概念的に，この接合部分２３ａ，２３ｂに網掛けを施して示している。他方，接合部分２３ａ，２３ｂの間に位置する自由部分２３ｃにおいて，サイドシート２０は，吸収性本体１０の肌対向面上に接合されていない。このため，サイドシート２０は，起立領域２３の自由部分２３ｃにおいて，吸収性本体１０から離れており，自由に立ち上がることができるようになっている。起立領域２３の自由部分２３ｃは，立体ギャザーを形成する部分となる。このため，起立領域２３の自由部分２３ｃは，長手方向に見て，少なくとも股下部３の全体に亘っており，前身頃１及び後身頃２に到達する長さで形成されていることが好ましい。
【００３３】
なお，上述したサイドシート２０の接合領域２２や，起立領域２３の接合部分２３ａ，２３ｂにおけるシートの接合には，例えば，公知のホットメルト接着剤などを利用することができる。
【００３４】
また，図３に示されるように，サイドシート２０の起立領域２３は，幅方向内側の端縁が折り返されて，シート部材が２重に重なった折返部２４を有することが好ましい。サイドシート２０の折返部２４は，サイドシート２０の長手方向全体に亘って形成されている。折返部２４は，図３に示されるように，サイドシート２０の内側端縁を，幅方向の内側に向かって折り返すようにして形成されたものであってもよい。また，図示は省略するが，折返部２４は，サイドシート２０の内側端縁を，幅方向の外側に向かって折り返すようにして形成されたものであってもよい。図１〜図３に示されるように，このサイドシート２０の折返部２４には，一又は複数の立体ギャザー伸縮部材４０と，一又は複数の補助伸縮部材３０とを挟み込んで固定することができる。
【００３５】
図１〜図３に示されるように，一対のサイドシート２０の起立領域２３の自由部分２３ｃには，それぞれ，一又は複数の立体ギャザー伸縮部材４０が取り付けられている。立体ギャザー伸縮部材４０は，長手方向に沿った伸長状態で，サイドシート２０の自由部分２３ｃに固定されている。具体的には，立体ギャザー伸縮部材４０は，サイドシート２０の自由部分２３ｃに形成された折返部２４に挟み込んで固定されていることが好ましい。このようにして，各立体ギャザー伸縮部材４０が伸長状態で固定されていることで，これらの立体ギャザー伸縮部材４０が収縮したときに，サイドシート２０の自由部分２３ｃが長手方向に縮まる。これにより，サイドシート２０の自由部分２３ｃが，立体ギャザー伸縮部材４０の収縮力を利用して，トップシート１１の肌対向面から離れるように起立する。また，立体ギャザー伸縮部材４０が収縮すると，これを固定しているサイドシート２０の自由部分２３ｃに皺（ギャザー）が形成される。従って，サイドシート２０の自由部分２３ｃによって，着用者の肌の方向に向かって起立する立体ギャザーが形成されることとなる。立体ギャザー伸縮部材４０をサイドシート２０に固定するときには，立体ギャザー伸縮部材４０に接着剤を直接塗布して，引き伸ばされた状態（伸長状態）のままで，サイドシート２０に固定すればよい。また，サイドシート２０に接着剤を塗布した後，引き伸ばされた状態の立体ギャザー伸縮部材４０をサイドシート２０に取り付けることとしてもよい。立体ギャザー伸縮部材４０は，各サイドシート２０に対して，１本，２本，又は３本以上設けることが可能である。
【００３６】
図１〜図３に示されるように，吸収性物品１００は，さらに，レッグギャザー伸縮部材５０を備えることが好ましい。レッグギャザー伸縮部材５０は，吸収性本体１０の幅方向左右両側に，それぞれ一又は複数本設けられる。また，図２に示されるように，レッグギャザー伸縮部材５０は，長手方向に沿った伸長状態で，直線状，湾曲線状，又は屈曲線状に配置される。レッグギャザー伸縮部材５０は，股下部３を中心として，前身頃１及び後身頃２にかけて配置されていることが好ましい。このように，レッグギャザー伸縮部材５０を設けることで，吸収性物品１００が装着された際，着用者の脚周りに相当する部分にレッグギャザーが形成される。レッグギャザーを形成することで，着用者の脚周りと吸収性物品１００とのフィット性が向上するため，尿などの液体が脚周りの開口部から漏れ出すことを防止できる。
【００３７】
図２及び図３に示されるように，左右のレッグギャザー伸縮部材５０は，それぞれ，サイドシート２０の接合領域２２において，このサイドシート２０と吸収性本体１０の間に挟んで固定されていることが好ましい。例えば，図３に示されるように，本実施形態では，トップシート１１よりも外側に延出したバックシート１２の一部分とサイドシート２０との間に，レッグギャザー伸縮部材５０が固定されている。このように，接合領域２２において，サイドシート２０とバックシート１２の間に，一又は複数のレッグギャザー伸縮部材５０を固定することとしてもよい。また，図示は省略するがレッグギャザー伸縮部材５０は，接合領域２２において，サイドシート２０とトップシート１１の間に固定されていてもよい。
【００３８】
ここで，図１から図３に示されるように，本発明の吸収性物品１００は，一対のサイドシート２０のそれぞれに１又は複数本ずつ取り付けられた補助伸縮部材３０を有している。補助伸縮部材３０は，立体ギャザーの起立を補助するための伸縮部材である。補助伸縮部材３０は，上述した立体ギャザー伸縮部材４０と協働して，サイドシート２０の起立領域２３の自由部分２３ｃを立ち上げる役割を担っている。
【００３９】
図２に示されるように，各補助伸縮部材３０は，基本的に，直線状に延びるように，伸張した状態で，サイドシート２０に取り付けられている。具体的に説明すると，各補助伸縮部材３０は，吸収性物品の幅方向外側に位置する基端３１と，幅方向の内側に位置する先端３２とを有しており，これらの基端３１と先端３２とを繋ぐように直線状に延びたものとなっている。また，図２に示されるように，補助伸縮部材３０の基端３１は，サイドシート２０の接合領域２２に位置している。他方，補助伸縮部材３０の先端３２は，サイドシート２０の起立領域２３のうち，自由部分２３ｃに位置している。このように，補助伸縮部材３０は，サイドシート２０の接合領域２２から，接合線２１を超えて，起立領域２３の自由部分２３ｃに至る長さで形成されている。また，補助伸縮部材３０は，サイドシート２０の接合線２１を跨ぐ方向に伸縮可能な状態で，サイドシート２０に固定されたものとなる。
【００４０】
上記のように，補助伸縮部材３０をサイドシート２０に取り付けることで，補助伸縮部材３０は，接合領域２２を起点として，自由部分２３ｃを引っ張るようになる。これにより，サイドシート２０の自由部分２３ｃによって形成される立体ギャザーが立ち上がり易くなる。特に，立体ギャザー伸縮部材４０の伸縮方向は，吸収性物品１００の長手方向に沿った方向であるのに対して，補助伸縮部材３０の伸縮方向は，立体ギャザー伸縮部材４０の伸縮方向に対して直交する方向又は斜めに傾斜する方向となる。このため，装着時等において，吸収性物品１００がその長手方向に沿って引っ張られて立体ギャザー伸縮部材４０が伸長し立体ギャザーが立ち上がりにくくなっている状態であっても，補助伸縮部材３０によって立体ギャザーを起立させる方向に引っ張ることができる。従って，立体ギャザーは，補助伸縮部材３０と立体ギャザー伸縮部材４０との協働により，効果的に起立することができる。
【００４１】
また，補助伸縮部材３０は，サイドシート２０の自由部分２３ｃを立ち上げる目的のために設けられている。このため，補助伸縮部材３０の先端３２は，基本的に，サイドシート２０の自由部分２３ｃの幅方向内側の端縁（先端縁）に達していることが好ましい。少なくとも，補助伸縮部材３０の先端３２は，サイドシート２０の自由部分２３ｃの幅方向の半分よりも，先端縁寄りの位置に位置していることが好ましい。
【００４２】
図１及び図２に示された実施形態において，サイドシート２０には，それぞれ，補助伸縮部材３０が複数本ずつ取り付けられている。本実施形態において，複数の補助伸縮部材３０には，前身頃１側に取り付けられた前側補助伸縮部材３０ａと，後身頃２側に取り付けられた後側補助伸縮部材３０ｂと，これらの間に設けられた中央補助伸縮部材３０ｃとが含まれる。
【００４３】
図２に示されるように，前側補助伸縮部材３０ａと後側補助伸縮部材３０ｂは，吸収性物品１００の長手方向に対して，斜めに傾斜するように配置されている。具体的に説明すると，前側補助伸縮部材３０ａは，その基端３１が，先端３２よりも長手方向の前身頃１の端縁寄りに位置しており，その先端３２が，基端３１よりも長手方向の股下部３の中央寄りに位置している。これにより，前側補助伸縮部材３０ａは，その基端３１から先端３２に向かうにつれて，徐々に股下部３の中央に近づくように傾斜していることとなる。他方で，後側補助伸縮部材３０ｂは，その基端３１が，先端３２よりも長手方向の後身頃２の端縁寄りに位置しており，その先端３２が，基端３１よりも長手方向の股下部３の中央寄りに位置している。これにより，後側補助伸縮部材３０ｂも，その基端３１から先端３２に向かうにつれて，徐々に股下部３の中央に近づくように傾斜していることとなる。例えば，図２において，符号θは，前側補助伸縮部材３０ａと後側補助伸縮部材３０ｂが，吸収性物品１００の長手方向に延びる直線に対して傾いた傾斜角を示している。この傾斜角θは，例えば，１５度〜７５度，３０度〜６０度，又は４０度〜５０度であることが好ましい。また，図２に示されるように，中央補助伸縮部材３０ｃは，吸収性物品１００の長手方向に対して，ほぼ直交するように配置されている。例えば，中央補助伸縮部材３０ｃが，吸収性物品１００の長手方向に延びる直線に対して傾いた角度は，８０度〜１００度又は約９０度（±２度）であることが好ましい。
【００４４】
上記のように，各サイドシート２０に複数種類の補助伸縮部材３０ａ，３０ｂ，３０ｃを設けて，各補助伸縮部材３０ａ，３０ｂ，３０ｃによって，様々な方向にサイドシート２０の自由部分２３ｃに引っ張ることが好ましい。これにより，サイドシート２０の自由部分２３ｃが起立しやすくなると同時に，様々な方向から外側に向かって引っ張られるため，サイドシート２０の自由部分２３ｃが外側に向かって開きやすくなる。このように，サイドシート２０の自由部分２３ｃが自動的に開くことで，吸収性物品１００を装着する際に手指を使ってサイドシート２０を広げるような操作を行わなくても，スムーズに吸収性物品１００を着用することが可能となる。
【００４５】
また，図２に示されるように，サイドシート２０の自由部分２３ｃには，長手方向の中央部分に立体ギャザー伸縮部材４０が配置されている。ただし，サイドシート２０の自由部分２３ｃには，長手方向の前身頃１及び後身頃２の部分に，立体ギャザー伸縮部材４０が配置されていない非伸縮部２３ｄが存在する。このような場合において，前側補助伸縮部材３０ａと後側補助伸縮部材３０ｂは，それぞれ，その先端３２が，サイドシート２０の自由部分２３ｃのうちの非伸縮部２３ｄに位置していることが好ましい。このように，前側補助伸縮部材３０ａと後側補助伸縮部材３０ｂの先端３２を非伸縮部２３ｄに位置させることで，前側補助伸縮部材３０ａと後側補助伸縮部材３０ｂを，立体ギャザー伸縮部材４０と交差しないように配置することができる。つまり，前側補助伸縮部材３０ａや後側補助伸縮部材３０ｂが立体ギャザー伸縮部材４０と交差すると，各伸縮部材が収縮したときに，サイドシート２０の先端付近に，肌触りの良くない捩れ（よじれ）が生じるおそれがある。そこで，少なくとも，前側補助伸縮部材３０ａと後側補助伸縮部材３０ｂは，立体ギャザー伸縮部材４０と交差しないように配置することが好ましい。
【００４６】
また，図２に示されるように，前側補助伸縮部材３０ａと後側補助伸縮部材３０ｂは，レッグギャザー伸縮部材５０とも交差しないように配置されている。具体的には，図２に示された例において，レッグギャザー伸縮部材５０の長手方向の長さは，立体ギャザー伸縮部材４０の長手方向の長さよりも長くなっている。このため，前側補助伸縮部材３０ａと後側補助伸縮部材３０ｂを，レッグギャザー伸縮部材５０と立体ギャザー伸縮部材４０の両方に交差しないように配置すると，図２に示すように斜めに傾斜した配置となる。このように，レッグギャザー伸縮部材５０を立体ギャザー伸縮部材４０よりも長く形成し，且つ，前側補助伸縮部材３０ａと後側補助伸縮部材３０ｂを斜めに配置することで，各伸縮部材の配置のバランスを取ることができる。つまり，各伸縮部材の間の隙間が離れ過ぎることもなく，近づき過ぎることもない良好なバランスとなり，吸収性物品１００全体を全方向に伸縮させやすくなる。これにより，吸収性物品１００全体の装着性やフィット性を向上させることができる。
【００４７】
図３は，補助伸縮部材３０（中央補助伸縮部材３０ｃ）が配置された部位における吸収性物品１００の幅方向の断面図である。図３に示されるように，各補助伸縮部材３０は，サイドシート２０の肌非対向面側に取り付けられていることが好ましい。具体的には，サイドシート２０の接合領域２２において，補助伸縮部材３０は，サイドシート２０とトップシート１１の間や，サイドシート２０とバックシート１２の間に挟み込んで固定されている。また，サイドシート２０の起立領域２３において，補助伸縮部材３０は，サイドシート２０の折返部２４に挟み込んで固定されている。このように，各補助伸縮部材３０は，着用者の肌に直接触れることがないように，サイドシート２０の肌非対向面側に取り付けられていることが好ましい。
【００４８】
上記した補助伸縮部材３０や，立体ギャザー伸縮部材４０，及びレッグギャザー伸縮部材５０には，それぞれ，公知の弾性伸縮部材を用いることができる。例えば，各弾性伸縮部材には，糸状弾性ゴム又は平状弾性ゴムを適用することができる。このようなゴム部材としては，スチレン系ゴム，オレフィン系ゴム，ウレタン系ゴム，エステル系ゴム，ポリウレタン，ポリエチレン，ポリスチレン，スチレンブタジエン，シリコーン，又はポリエステル等の素材を用いることができる。また，各伸縮部材には，例えば熱可塑性エラストマー，プラスチックシート，又はゴムシート等の伸縮性を有する公知の部材を用いることもできる。
【００４９】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【産業上の利用可能性】
【００５０】
本発明は，使い捨ておむつ，吸収パッド，又は生理用ナプキンのような吸収性物品に関するものである。従って，本発明は，吸収性物品の製造業において好適に利用しうる。
【符号の説明】
【００５１】
１…前身頃                        ２…後身頃
３…股下部                        １０…吸収性本体
１１…トップシート                １２…バックシート
１３…吸収体                      ２０…サイドシート
２１…接合線                      ２２…接合領域
２３…起立領域                    ２３ａ…前端側の接合部分
２３ｂ…後端側の接合部分          ２３ｃ…自由部分
２３ｄ…非伸縮部                  ２４…折返部
３０…補助伸縮部材                ３０ａ…前側補助伸縮部材
３０ｂ…後側補助伸縮部材          ３０ｃ…中央補助伸縮部材
３１…基端                        ３２…先端
４０…立体ギャザー伸縮部材        ５０…レッグギャザー伸縮部材
１００…吸収性物品
【図１】
0006350337.tif 000002
【図２】
0006350337.tif 000003
【図３】
0006350337.tif 000004